(57)【要約】【課題】シンプルな構造とすることができ、かつ軒樋を効率的に取り付けできる軒樋支持具を提供する。【解決手段】樋支持本体部１０は、軒樋５の底部５ｃにあてがわれる底支持部１２と、底支持部１２の後端より起立した後支持部１３と、底支持部１２の前端より起立した前支持部１１とを有しており、後支持部１３は、上端部に軒樋５の後耳５ｂを係止する後耳係止部１４を有する一方、前支持部１１は、軒樋５の前壁部５ｄよりも高さが低く形成されており、後支持部１３と協働して軒樋５を弾性的に挟持する構成となっている。【選択図】図１
2018172921.tif 000002
【特許請求の範囲】
【請求項１】
軒先に固定されて軒樋を下方より支持する樋支持本体部を有した軒樋支持具であって、
前記樋支持本体部は、前記軒樋の底部にあてがわれる底支持部と、該底支持部の後端より起立した後支持部と、該底支持部の前端より起立した前支持部とを有しており、
前記後支持部は、上端部に前記軒樋の後耳を係止する後耳係止部を有する一方、前記前支持部は、前記軒樋の前壁部よりも高さが低く形成されており、前記後支持部と協働して前記軒樋を弾性的に挟持することを特徴とする軒樋支持具。
【請求項２】
請求項１において、
前記後耳係止部は、前記後支持部の上端より逆Ｌ字状に前方に突出した係止片部を有し、該係止片部と前記後支持部の内面との間に前記後耳が挿入される凹部を有しており、
前記軒樋は、前記後耳が前記凹部に挿入された状態で前後方向に回動自在とされており、
前記軒樋が前方に回動して前記前支持部と前記後支持部とにより挟持されたときに、前記後耳支持部が前記後耳を弾性的に挟持することを特徴とする軒樋支持具。
【請求項３】
請求項２において、
前記係止片部が前方に動作することを規制した拡開規制部をさらに備えていることを特徴とする軒樋支持具。
【発明の詳細な説明】
【技術分野】
【０００１】
本発明は、軒樋を受け支持する軒樋支持具に関する。
【背景技術】
【０００２】
従来のこの種の軒樋支持具は、軒樋の前耳を係止する前耳係止部と、後耳を係止する後耳係止部とを有した構造となっていることが一般的である（たとえば、特許文献１参照）。たとえば図３に示すように、係止部１０１、１０２は別体の金属薄板片などよりなり、樋支持本体部１００で軒樋５を受けた状態で前耳５ａと後耳５ｂに対し折り曲げて係止する構造となっている。
【先行技術文献】
【特許文献】
【０００３】
【特許文献１】特開２００１−１０８１４９号公報
【発明の概要】
【発明が解決しようとする課題】
【０００４】
しかしながら、軒樋支持具は軒樋の長手方向に対し複数のものが間隔を空けて配設されるものであるため、そのすべてについて前耳５ａおよび後耳５ｂの係止作業をしなければならず、手間がかかる。一人で係止作業をする場合には、軒樋５を樋支持本体部１００で仮保持させた状態で長手方向に添って横へと移動しながら作業をする必要があるため、特に時間を要する。高所であればなおさら多くの時間を要する。
【０００５】
なお、軒樋を吊り支持する軒樋支持具としては、軒樋を下方より持ち上げ操作することで、複数個所に取り付けた軒樋支持具に対して同時に前耳、後耳が係止され得る構造のものが多く実施されている。したがって、このような軒樋支持具では、軒樋を仮保持状態にできないことによる作業の非効率性はほとんどない。
【０００６】
本発明は、このような事情を考慮して提案されたもので、その目的は、シンプルな構造とすることができ、かつ軒樋を効率的に取り付けできる軒樋支持具を提供することにある。
【課題を解決するための手段】
【０００７】
上記目的を達成するために、請求項１に記載の軒樋支持具は、軒先に固定されて軒樋を下方より支持する樋支持本体部を有した軒樋支持具であって、樋支持本体部は、軒樋の底部にあてがわれる底支持部と、底支持部の後端より起立した後支持部と、底支持部の前端より起立した前支持部とを有しており、後支持部は、上端部に軒樋の後耳を係止する後耳係止部を有する一方、前支持部は、軒樋の前壁部よりも高さが低く形成されており、後支持部と協働して軒樋を弾性的に挟持することを特徴とする。
【０００８】
請求項２に記載の軒樋支持具は、後耳係止部は、後支持部の上端より逆Ｌ字状に前方に突出した係止片部を有し、係止片部と後支持部の内面との間に後耳が挿入される凹部を有しており、軒樋は、後耳が凹部に挿入された状態で前後方向に回動自在とされており、軒樋が前方に回動して前支持部と後支持部とにより挟持されたときに、後耳支持部が後耳を弾性的に挟持することを特徴とする。
【０００９】
請求項３に記載の軒樋支持具は、係止片部が前方に動作することを規制した拡開規制部をさらに備えていることを特徴とする。
【発明の効果】
【００１０】
請求項１に記載の軒樋支持具によれば、上述した構成となっているため、シンプルな構造とすることができ、かつ軒樋の取り付けを効率的に実施することができる。
【００１１】
請求項２に記載の軒樋支持具によれば、上述した構成となっているため、軒樋を仮保持状態にすることなく、複数の軒樋支持具に対してほぼ同時に取り付けることができる。
【００１２】
請求項３に記載の軒樋支持具によれば、上述した構成となっているため、後耳係止部で軒樋の後耳を係止した後に、拡開規制部で係止片部の前方への動作を規制するようにすれば、凹部が前方に拡がって後耳がぐらついたり、後耳が凹部より抜け出たりすることを防止することができる。
【図面の簡単な説明】
【００１３】
【図１】（ａ）（ｂ）は、本発明の一実施形態に係る軒樋支持具の側面図である。
【図２】同軒樋支持具の要部分解斜視図である。
【図３】従来の軒樋支持具の側面図である。
【発明を実施するための形態】
【００１４】
以下に、本発明の実施の形態について、添付図面を参照しながら説明する。まず、本実施形態に係る軒樋支持具１の基本構成について説明する。
【００１５】
本軒樋支持具１は、軒先３に固定されて軒樋５を下方より支持する樋支持本体部１０を有した軒樋支持具１である。樋支持本体部１０は、軒樋５の底部５ｃにあてがわれる底支持部１２と、底支持部１２の後端より起立した後支持部１３と、底支持部１２の前端より起立した前支持部１１とを有している。後支持部１３は上端部に軒樋５の後耳５ｂを係止する後耳係止部１４を有している。一方、前支持部１１は軒樋５の前壁部５ｄよりも高さが低く形成されており、後支持部１３と協働して軒樋５を弾性的に挟持するようになっている。
【００１６】
この軒樋支持具１に支持される軒樋５は、図１に示すような角樋とされ、その前壁部５ｄの上端に前耳５ａを備え、後壁部５ｅの上端に後耳５ｂを備えており、それらは向かい合うように突出（膨出）している。取り付けられる軒樋５の長手方向に沿って、軒先３には複数の軒樋支持具１が取り付けられ、それらが軒樋５を受け支持する。
【００１７】
ついで、軒樋支持具１の各部の構成について、図１および図２を参照しながら詳細に説明する。
【００１８】
軒樋支持具１は、上記樋支持本体部１０と、軒樋支持具１を軒先３に固定するための取付部２５と、取付部２５の上端より樋支持本体部１０に延びた足部２０と、足部２０に一体化された拡開規制部３０とを有してなる。
【００１９】
樋支持本体部１０は、上述したように、前支持部１１と底支持部１２と後支持部１３とを有しており、後支持部１３は、その上端に、ばね板よりなる別体の後耳係止部１４を備えている。また、樋支持本体部１０は、図１（ａ）に示すように、前支持部１１が前後に弾性動作をなす構成となっている。なお、前支持部１１のみが弾性を有してもよいし、樋支持本体部１０の全体が弾性を有してもよく、すくなくとも上方に開いた軒樋５を受けるための開口が弾性的に拡縮するものであればよい。
【００２０】
取付部２５は、足部２０の後端より下方に延びた取付基板部２５ａと、その取付基板部２５ａを前面より押さえ軒先３にビス等で固定するための押さえ板２５ｂとを有している。
【００２１】
本実施形態では、前支持部１１と、底支持部１２と、後耳係止部１４を除く後支持部１３と、足部２０と、取付基板部２５ａとは、帯状の板材を折曲加工して形成されているが、これには限定されない。たとえば、足部２０と取付基板部２５ａが樋支持本体部１０とは別体であってもよい。
【００２２】
後耳係止部１４は、板ばねを加工してなる倒コ字状材とされ、開口を下方に向けた状態で後支持部１３の上端部にリベット等で固定されて、前方に逆Ｌ字状の係止片部１５を突出させてなる。後耳係止部１４は、係止片部１５の横片１５ａの上面と、足部２０の上面とが略面一となるように固定されている。
【００２３】
係止片部１５の垂下片１５ｂの下端には、下方に向け開口した凹部１４ａに後耳５ｂを挿入させやすくするために下向き前方に開いた傾斜状のガイド面１５ｄを有する折曲部１５ｃが形成されている。折曲部１５ｃは垂下片１５ｂの下端より凹部１４ａ側に突出しており、その突出部分によって、凹部１４ａに装着された後耳５ｂの下方を部分的に塞いで抜けを防止するようになっている。
【００２４】
足部２０は、前後方向の略中央の幅方向の両端に下方に突出した支軸部２１を有している。この両支軸部２１の孔に軸（不図示）を通し、別体の拡開規制部３０を回転可能なように軸支する構成となっている。
【００２５】
拡開規制部３０は、図２に示すように、回転軸部３１と、足部２０に対して被さるように回転動作をなす基板部３２と、その基板部３２の先端より略直角に曲げ加工された規制板３３とを備えている。また、基板部３２と規制板３３との折曲部には補強リブ３４が形成されている。なお、回転軸部３１は突部３５に設けられている。
【００２６】
拡開規制部３０は、図１（ｂ）に示すように、足部２０の上方において、軒先３の前面にもたれかかる位置と、略水平となる位置との間を回転できるようになっている。拡開規制部３０が略水平となった位置では、基板部３２が足部２０と係止片部１５の横片１５ａに上に重合し、規制板３３は係止片部１５の垂下片１５ｂに重合するように近接または接触する。
【００２７】
軒樋５は、図１（ａ）に示すように、前耳５ａが上部に位置するように傾けられた状態で、後耳５ｂが後耳係止部１４の凹部１４ａに挿入されて、軒樋５を前方に倒すように回転させることで、図１（ｂ）に示すように、軒樋５は前後より前支持部１１と後支持部１３とにより挟持されて樋支持本体部１０に装着される。軒樋５の樋支持本体部１０への装着により前支持部１１が軒樋５の前壁部５ｄにより押されて前方に弾性的に倒れ、その弾性復帰力により軒樋５がしっかりと挟持される。
【００２８】
このように、この軒樋支持具１は前支持部１１が低く形成されて軒樋５の前耳５ａを係止しない構成となっているが、底支持部１２で軒樋５を下方より支持しながら、前支持部１１と後支持部１３とで軒樋５を弾性的に挟持する構成となっているため、軒樋５はしっかりと軒樋支持具１によって固定される。また、前支持部１１が低く形成されているため、回転操作の際に軒樋５が引っかかるおそれがなく、軒樋５の装着はしやすい。
【００２９】
さらに、軒樋支持具１は前耳係止部および前支持部１１の上部を有しないため、材料を少なくでき、かつシンプルな構造とすることができ、しかも上述したように、簡単な回転操作で軒樋５を効率よく取り付けることができる。軒樋５は軒樋支持具１に仮保持させておく必要もない。
【００３０】
また、後耳５ｂを後耳係止部１４の凹部１４ａに挿入する際には、後耳５ｂが折曲部１５ｃのガイド面１５ｄに当たりながら挿入されていき、垂下片１５ｂが弾性的に前方に変形した状態となって凹部１４ａ内に装着される。そして、軒樋５の回転操作がなされている間、垂下片１５ｂは弾性変形した状態を維持し、軒樋５が軒樋支持具１に装着されると垂下片１５ｂは弾性復帰する。この状態で拡開規制部３０を前方に回転させることで拡開規制部３０は後耳係止部１４に被せられ、拡開規制部３０の規制板３３は係止片部１５が前方に動作しないように規制した状態となる。特に、規制板３３は係止片部１５の垂下片１５ｂの前方への弾性動作を規制する。また、基板部３２と規制板３３との折曲部に補強リブ３４が形成されているので、規制板３３で垂下片１５ｂをしっかりと押さえた状態を保持することができる。
【００３１】
こうして拡開規制部３０を被せることで後耳係止部１４（垂下片１５ｂ）が動作できない状態となり、軒樋５が取り付けられた後には、軒樋５への風などによる外圧によって後耳５ｂがぐらついたり、後耳係止部１４より抜け出たりすることが防止される。特に、風圧により軒樋５が後方へ回転しようとしても、樋支持本体部１０による軒樋５の挟持だけではなく、拡開規制部３０により後耳係止部１４の動作規制がなされるので、軒樋５の回転は阻止される。それとともに、拡開規制部３０の装着により、別体の後耳係止部１４が外れることも防止できる。
【００３２】
また、基板部３２の幅方向の端部より下方に延びる側板を設ければ、軒樋５の長手方向への拡開規制部３０自体のずれも防止することができる。なお、拡開規制部３０のずれ動きをより確実に防止するために、側板は一方のみだけではなく両側に設ければよい。側板を設ける場合には、回転軸部３１（の孔）はその側板に設けるようにすればよい。
【００３３】
また、図１（ｂ）に示すように、係止片部１５の折曲部１５ｃと横片１５ａとで凹部１４ａ内にある後耳５ｂを上下方向より挟持するようにすれば、軒樋５の上下方向のずれ動きも防止することができる。
【符号の説明】
【００３４】
１          軒樋支持具
３          軒先
５          軒樋
５ａ        前耳
５ｂ        後耳
５ｃ        底部
５ｄ        前壁部
５ｅ        後壁部
１０        樋支持本体部
１１        前支持部
１２        底支持部
１３        後支持部
１４        後耳係止部
１４ａ      凹部
１５        係止片部
１５ａ      横片
１５ｂ      垂下片
１５ｃ      折曲部
２０        足部
２１        支軸部
２５        取付部
２５ａ      取付基板部
２５ｂ      押さえ板
３０        拡開規制部
３１        回転軸部
３２        基板部
３３        規制板
３４        補強リブ
３５        突部
【図１】
2018172921.tif 000003
【図２】
2018172921.tif 000004
【図３】
2018172921.tif 000005
【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
軒先に固定されて軒樋を下方より支持する樋支持本体部を有した軒樋支持具であって、
前記樋支持本体部は、前記軒樋の底部にあてがわれる底支持部と、該底支持部の後端より起立した後支持部と、該底支持部の前端より起立した前支持部とを有しており、
前記後支持部は、上端部に前記軒樋の後耳を係止する後耳係止部を有する一方、前記前支持部は、前記軒樋の前壁部よりも高さが低く形成されており、前記後支持部と協働して前記軒樋を弾性的に挟持する構成とされており、
前記後耳係止部は、前記後支持部の上端より逆Ｌ字状に前方に突出した係止片部を有し、該係止片部と前記後支持部の内面との間に前記後耳が挿入される凹部を有しており、
前記軒樋は、前記後耳が前記凹部に挿入された状態で前後方向に回動自在とされており、
前記軒樋が前方に回動して前記前支持部と前記後支持部とにより挟持されたときに、前記後耳係止部が前記後耳を弾性的に挟持することを特徴とする軒樋支持具。
【請求項２】
請求項１において、
前記係止片部が前方に動作することを規制した拡開規制部をさらに備えていることを特徴とする軒樋支持具。
【手続補正２】
【補正対象書類名】明細書
【補正対象項目名】０００７
【補正方法】変更
【補正の内容】
【０００７】
上記目的を達成するために、請求項１に記載の軒樋支持具は、軒先に固定されて軒樋を下方より支持する樋支持本体部を有した軒樋支持具であって、樋支持本体部は、軒樋の底部にあてがわれる底支持部と、底支持部の後端より起立した後支持部と、底支持部の前端より起立した前支持部とを有しており、後支持部は、上端部に軒樋の後耳を係止する後耳係止部を有する一方、前支持部は、軒樋の前壁部よりも高さが低く形成されており、後支持部と協働して軒樋を弾性的に挟持する構成とされており、後耳係止部は、後支持部の上端より逆Ｌ字状に前方に突出した係止片部を有し、係止片部と後支持部の内面との間に後耳が挿入される凹部を有しており、軒樋は、後耳が凹部に挿入された状態で前後方向に回動自在とされており、軒樋が前方に回動して前支持部と後支持部とにより挟持されたときに、後耳係止部が後耳を弾性的に挟持することを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項２に記載の軒樋支持具は、係止片部が前方に動作することを規制した拡開規制部をさらに備えていることを特徴とする。
【手続補正５】
【補正対象書類名】明細書
【補正対象項目名】００１１
【補正方法】変更
【補正の内容】
【００１１】
また請求項１に記載の軒樋支持具によればさらに、上述した構成となっているため、軒樋を仮保持状態にすることなく、複数の軒樋支持具に対してほぼ同時に取り付けることができる。
【手続補正６】
【補正対象書類名】明細書
【補正対象項目名】００１２
【補正方法】変更
【補正の内容】
【００１２】
請求項２に記載の軒樋支持具によれば、上述した構成となっているため、後耳係止部で軒樋の後耳を係止した後に、拡開規制部で係止片部の前方への動作を規制するようにすれば、凹部が前方に拡がって後耳がぐらついたり、後耳が凹部より抜け出たりすることを防止することができる。